(57)【要約】【課題】収納部材に紙葉類を収納させるのにかかる時間を短縮することができる紙葉類処理装置および紙葉類処理方法を提供する。【解決手段】紙葉類処理装置（例えば、紙幣処理機１０）の制御部８０は、複数の一時保留部４４のうち第１の一時保留部４４に保留されていた紙葉類（例えば、紙幣）を収納部材（例えば、紙幣収納袋３４）に送る収納動作と、搬送部２４から、第１の一時保留部４４とは異なる第２の一時保留部４４に紙葉類を送る搬送動作とを並行して行うような並行処理を行うよう搬送部２４および一時保留部４４を制御する。【選択図】図６
2019096194.tif 000002
【特許請求の範囲】
【請求項１】
紙葉類を収納する収納部材がそれぞれ着脱自在に装着される複数の装着部と、
紙葉類を搬送する搬送部と、
前記搬送部にそれぞれ接続され、各前記装着部に対応するよう設けられた複数の一時保留部であって、前記搬送部から送られた、各前記装着部に装着されている前記収納部材に収納される前の紙葉類が一時的に保留される複数の一時保留部と、
複数の前記一時保留部のうち第１の一時保留部に保留されていた紙葉類を前記収納部材に送る収納動作と、前記搬送部から、前記第１の一時保留部とは異なる第２の一時保留部に紙葉類を送る搬送動作とを並行して行うような並行処理を行うよう前記搬送部および前記一時保留部を制御する制御部と、
を備えた、紙葉類処理装置。
【請求項２】
前記制御部は、各前記装着部に装着されている複数の前記収納部材にそれぞれ紙葉類として複数の金種の紙幣が混合状態で収納されるように前記搬送部から各前記一時保留部に紙葉類が送られるよう前記搬送部を制御する、請求項１記載の紙葉類処理装置。
【請求項３】
前記収納部材として開口が設けられた収納袋が用いられるようになっており、
各前記装着部は、前記収納袋における前記開口近傍の箇所を保持する保持部材を有している、請求項１または２記載の紙葉類処理装置。
【請求項４】
前記保持部材により保持される前記収納袋の内部に進入して当該収納袋に収納されている紙葉類を押し込む押込部を更に備え、
前記収納動作は、前記押込部が前記収納袋の内部に進入して当該収納袋に収納されている紙葉類を押し込む動作を含む、請求項３記載の紙葉類処理装置。
【請求項５】
前記押込部が前記収納袋の内部に進入して当該収納袋に収納されている紙葉類を押し込む方向に移動可能となっており、前記保持部材により保持される前記収納袋の少なくとも一部が載置される載置部を更に備え、
前記収納動作は、前記載置部を前記方向に移動させる動作を含む、請求項４記載の紙葉類処理装置。
【請求項６】
前記収納部材として収納カセットが用いられるようになっており、
各前記装着部には、収納カセットが収容される収容空間が設けられている、請求項１または２記載の紙葉類処理装置。
【請求項７】
各前記一時保留部は、対応する前記装着部に装着されている前記収納部材の上方に配置されており、
各前記一時保留部は、軸を中心として回転可能となっている一時保留部材を有しており、
前記搬送部から各前記一時保留部に送られた紙葉類は前記一時保留部材上に集積されるようになっており、
前記収納動作は、前記一時保留部材が前記軸を中心として下方に回転することにより前記一時保留部材上に集積されている紙葉類を落下させて前記装着部に装着されている前記収納部材に送る動作を含む、請求項１乃至６のいずれか一項に記載の紙葉類処理装置。
【請求項８】
前記制御部は、前記搬送部から前記第１の一時保留部に送られた紙葉類の数に基づいた所定の条件が満たされたときに前記並行処理を行うよう前記搬送部および前記一時保留部を制御する、請求項１乃至７のいずれか一項に記載の紙葉類処理装置。
【請求項９】
前記制御部は、前記搬送部から前記第１の一時保留部に送られた紙葉類を前記第１の一時保留部に保留させたまま前記搬送部から前記第２の一時保留部に紙葉類を送る搬送動作を行うような保留処理も行うことができるようになっており、
前記制御部が前記並行処理および前記保留処理のうち何れの処理を行うかを設定する設定手段が設けられている、請求項１乃至８のいずれか一項に記載の紙葉類処理装置。
【請求項１０】
前記制御部は、前記搬送部から前記第１の一時保留部に送られた紙葉類の数に基づいた所定の条件が満たされたときに、前記保留処理を行う、請求項９記載の紙葉類処理装置。
【請求項１１】
紙葉類を収納する収納部材がそれぞれ着脱自在に装着される複数の装着部、紙葉類を搬送する搬送部、および前記搬送部にそれぞれ接続され、各前記装着部に対応するよう設けられた複数の一時保留部を有する紙葉類処理装置による紙葉類処理方法であって、
前記搬送部から複数の前記一時保留部のうち第１の一時保留部に紙葉類を送り、前記第１の一時保留部において前記装着部に装着されている前記収納部材に収納される前の紙葉類を一時的に保留させる工程と、
前記搬送部から前記第１の一時保留部に送られた紙葉類の数に基づいた所定の条件が満たされたときに、前記第１の一時保留部に保留されていた紙葉類を前記収納部材に送る収納動作と、前記搬送部から、前記第１の一時保留部とは異なる第２の一時保留部に紙葉類を送る搬送動作とを並行して行う工程と、
を備えた、紙葉類処理方法。
【発明の詳細な説明】
【技術分野】
【０００１】
本発明は、収納袋や収納カセット等の収納部材の内部に紙幣等の紙葉類を収納させるための紙葉類処理装置および紙葉類処理方法に関する。
【背景技術】
【０００２】
紙幣等の紙葉類の入金処理を行う紙葉類処理装置として、機体内に取り込まれた紙葉類を収納袋に収納させるようなタイプのものが従来から用いられている。このような紙葉類処理装置として、例えば特許文献１等に開示されるものが従来から知られている。このような紙葉類処理装置は、例えばスーパーマーケット等の店舗におけるバックオフィス領域に設置される現金処理装置の一部（具体的には、紙幣処理装置）として用いられるようになっており、当該現金処理装置は、フロントオフィス領域に設けられた現金精算装置へ装填するための釣銭準備金としての貨幣を出金したり、現金精算装置から回収した売上金としての貨幣を入金したりするようになっている。
【先行技術文献】
【特許文献】
【０００３】
【特許文献１】国際公開第２０１６／１３６５１７号
【発明の概要】
【発明が解決しようとする課題】
【０００４】
特許文献１等に開示される従来の紙葉類処理装置では、収納袋が着脱自在に装着される装着部が設けられるとともに、この装着部の上方には、収納袋に収納される前の紙葉類が一時的に保留される一時保留部が設けられている。また、一時保留部は搬送部に接続されており、搬送部から一時保留部に紙葉類が送られるようになっている。ここで、従来の紙葉類処理装置において装着部に装着されている収納袋に紙葉類を収納させる収納処理が行われる際に、収納袋に収納されるべき紙葉類はまず搬送部から一時保留部に送られ、この一時保留部において紙葉類が一時的に保留されるようになる。そして、所定の枚数の紙幣が一時保留部に保留されると、一時保留部に一時的に保留されていた紙葉類が装着部に装着されている収納袋にまとめて送られ、この収納袋に紙葉類が収納されるようになる。このような収納処理が完了すると、収納袋に収納されるべき新たな紙葉類が一時保留部に送られる。
【０００５】
しかしながら、上述した紙葉類の処理方法では、一時保留部に保留されている紙葉類を収納袋に収納させる間、搬送部から一時保留部に紙葉類を送ることができないため、収納袋に紙葉類を収納させるのにかかる時間が長くなってしまうという問題がある。
【０００６】
本発明は、このような点を考慮してなされたものであり、収納部材に紙葉類を収納させるのにかかる時間を短縮することができる紙葉類処理装置および紙葉類処理方法を提供することを目的とする。
【課題を解決するための手段】
【０００７】
本発明の紙葉類処理装置は、紙葉類を収納する収納部材がそれぞれ着脱自在に装着される複数の装着部と、紙葉類を搬送する搬送部と、前記搬送部にそれぞれ接続され、各前記装着部に対応するよう設けられた複数の一時保留部であって、前記搬送部から送られた、各前記装着部に装着されている前記収納部材に収納される前の紙葉類が一時的に保留される複数の一時保留部と、複数の前記一時保留部のうち第１の一時保留部に保留されていた紙葉類を前記収納部材に送る収納動作と、前記搬送部から、前記第１の一時保留部とは異なる第２の一時保留部に紙葉類を送る搬送動作とを並行して行うような並行処理を行うよう前記搬送部および前記一時保留部を制御する制御部と、を備えたことを特徴とする。
【０００８】
このような紙葉類処理装置によれば、複数の一時保留部のうち第１の一時保留部に保留されていた紙葉類を収納部材に送る収納動作と、搬送部から第２の一時保留部に紙葉類を送る搬送動作とを並行して行うことにより、搬送部から各一時保留部への紙葉類の搬送動作が中断しないため、収納部材に紙葉類を収納させるのにかかる時間を短縮することができる。
【０００９】
本発明の紙葉類処理装置においては、前記制御部は、各前記装着部に装着されている複数の前記収納部材にそれぞれ紙葉類として複数の金種の紙幣が混合状態で収納されるように前記搬送部から各前記一時保留部に紙葉類が送られるよう前記搬送部を制御してもよい。
【００１０】
本発明の紙葉類処理装置においては、前記収納部材として開口が設けられた収納袋が用いられるようになっており、各前記装着部は、前記収納袋における前記開口近傍の箇所を保持する保持部材を有していてもよい。
【００１１】
この場合、本発明の紙葉類処理装置は、前記保持部材により保持される前記収納袋の内部に進入して当該収納袋に収納されている紙葉類を押し込む押込部を更に備え、前記収納動作は、前記押込部が前記収納袋の内部に進入して当該収納袋に収納されている紙葉類を押し込む動作を含んでいてもよい。
【００１２】
また、本発明の紙葉類処理装置は、前記押込部が前記収納袋の内部に進入して当該収納袋に収納されている紙葉類を押し込む方向に移動可能となっており、前記保持部材により保持される前記収納袋の少なくとも一部が載置される載置部を更に備え、前記収納動作は、前記載置部を前記方向に移動させる動作を含んでいてもよい。
【００１３】
また、前記収納部材として収納カセットが用いられるようになっており、各前記装着部には、収納カセットが収容される収容空間が設けられていてもよい。
【００１４】
また、各前記一時保留部は、対応する前記装着部に装着されている前記収納部材の上方に配置されており、各前記一時保留部は、軸を中心として回転可能となっている一時保留部材を有しており、前記搬送部から各前記一時保留部に送られた紙葉類は前記一時保留部材上に集積されるようになっており、前記収納動作は、前記一時保留部材が前記軸を中心として下方に回転することにより前記一時保留部材上に集積されている紙葉類を落下させて前記装着部に装着されている前記収納部材に送る動作を含んでいてもよい。
【００１５】
また、前記制御部は、前記搬送部から前記第１の一時保留部に送られた紙葉類の数に基づいた所定の条件が満たされたときに前記並行処理を行うよう前記搬送部および前記一時保留部を制御してもよい。
【００１６】
また、前記制御部は、前記搬送部から前記第１の一時保留部に送られた紙葉類を前記第１の一時保留部に保留させたまま前記搬送部から前記第２の一時保留部に紙葉類を送る搬送動作を行うような保留処理も行うことができるようになっており、前記制御部が前記並行処理および前記保留処理のうち何れの処理を行うかを設定する設定手段が設けられていてもよい。
【００１７】
この場合、前記制御部は、前記搬送部から前記第１の一時保留部に送られた紙葉類の数に基づいた所定の条件が満たされたときに、前記保留処理を行ってもよい。
【００１８】
本発明の紙葉類処理方法は、紙葉類を収納する収納部材がそれぞれ着脱自在に装着される複数の装着部、紙葉類を搬送する搬送部、および前記搬送部にそれぞれ接続され、各前記装着部に対応するよう設けられた複数の一時保留部を有する紙葉類処理装置による紙葉類処理方法であって、前記搬送部から複数の前記一時保留部のうち第１の一時保留部に紙葉類を送り、前記第１の一時保留部において前記装着部に装着されている前記収納部材に収納される前の紙葉類を一時的に保留させる工程と、前記搬送部から前記第１の一時保留部に送られた紙葉類の数に基づいた所定の条件が満たされたときに、前記第１の一時保留部に保留されていた紙葉類を前記収納部材に送る収納動作と、前記搬送部から、前記第１の一時保留部とは異なる第２の一時保留部に紙葉類を送る搬送動作とを並行して行う工程と、を備えたことを特徴とする。
【００１９】
このような紙葉類処理方法によれば、複数の一時保留部のうち第１の一時保留部に保留されていた紙葉類を収納部材に送る収納動作と、搬送部から第２の一時保留部に紙葉類を送る搬送動作とを並行して行うことにより、搬送部から各一時保留部への紙葉類の搬送動作が中断しないため、収納部材に紙葉類を収納させるのにかかる時間を短縮することができる。
【発明の効果】
【００２０】
本発明の紙葉類処理装置および紙葉類処理方法によれば、収納部材に紙葉類を収納させるのにかかる時間を短縮することができる。
【図面の簡単な説明】
【００２１】
【図１】本発明の実施の形態による紙幣処理機の内部構成を概略的に示す概略構成図である。
【図２】図１に示す紙幣処理機における紙幣収納機構の構成の詳細を示す側面図である。
【図３】図２に示す紙幣収納機構における一対の保持部材等の構成を示す斜視図である。
【図４】図２等に示す紙幣収納機構において各保持部材により保持されるべき紙幣収納袋の構成を示す斜視図である。
【図５】図２等に示す紙幣収納機構の各保持部材により紙幣収納袋を保持させたときの状態を示す斜視図である。
【図６】（ａ）〜（ｆ）は、図１に示す紙幣処理機において並行処理モードにより各紙幣収納機構の紙幣収納袋に紙幣を収納させる動作を概略的に示す側面図である。
【図７】（ａ）〜（ｆ）は、図１に示す紙幣処理機において保留処理モードにより各紙幣収納機構の紙幣収納袋に紙幣を収納させる動作を概略的に示す側面図である。
【図８】（ａ）〜（ｆ）は、図２に示す紙幣収納機構の紙幣収納袋に紙幣を収納させる動作の他の例を概略的に示す側面図である。
【図９】図１等に示す紙幣処理機における制御系の構成を示す機能ブロック図である。
【発明を実施するための形態】
【００２２】
以下、本発明の実施の形態において、本発明に係る紙葉類処理装置として紙幣の処理を行う紙幣処理機が用いられる場合について説明する。図１乃至図９は、本実施の形態に係る紙幣処理機を示す図である。なお、図６乃至図８において積層状態の複数の紙幣を参照符合Ｐで示している。
【００２３】
本実施の形態による紙幣処理機１０は、概してスーパーマーケット等の店舗のフロントオフィス領域やバックオフィス領域、あるいは銀行ロビーや銀行の内部に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２４】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。
【００２５】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００２６】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００２７】
図１に示すように、本実施の形態では、下部ユニット１６には、一方に、紙幣を投入するための開口が設けられた紙幣収納袋３４の内部に紙幣を収納させるための紙幣収納機構３２が並列に２つ設けられている。なお、以下の説明では、２つの紙幣収納機構３２のうち左側の紙幣収納機構３２を参照符合３２ａで示すとともに右側の紙幣収納機構３２を参照符合３２ｂで示す場合がある。各紙幣収納機構３２には、それぞれ、一対の保持部材３６が互いに対向するよう離間して設けられており、紙幣収納袋３４の開口部の近傍における互いに対向する２つの箇所が各保持部材３６によりそれぞれ保持されるようになっている。ここで、ある保持部材３６（具体的には、例えば図１や図２における右側の保持部材３６）はその位置が固定されているのに対し、別の保持部材３６（具体的には、例えば図１や図２における左側の保持部材３６）は位置固定の保持部材３６に向かって移動することができるようになっている。本実施の形態では、各保持部材３６は、紙幣収納袋３４が着脱自在に装着される装着部として機能する。また、図２に示すように、各保持部材３６にはそれぞれ加熱部材３８が設けられている。そして、紙幣収納機構３２において各保持部材３６により保持された紙幣収納袋３４に所定量の紙幣が収納された後、当該紙幣収納袋３４が紙幣収納機構３２から取り出される前に、一方の保持部材３６が他方の保持部材３６に向かって移動してこれらの保持部材３６が互いに接した状態で、加熱部材３８によって紙幣収納袋３４の開口部の近傍の箇所に熱が与えられることにより当該紙幣収納袋３４の開口部はヒートシール（熱封止）されるようになっている。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接するようになっていてもよい。また、一方の保持部材３６の加熱部材３８のみで紙幣収納袋３４の開口部をヒートシールできる場合は、一方の保持部材３６のみに加熱部材３８が設けられるようにしてもよい。
【００２８】
また、上部ユニット１４において、搬送部２４からは各紙幣収納機構３２に対応して複数（図１に示す例では２つ）の分岐搬送部２５が分岐しており、搬送部２４から分岐搬送部２５に分岐させられた紙幣が当該分岐搬送部２５から各紙幣収納機構３２に装着された紙幣収納袋３４に送られて当該紙幣収納袋３４に収納されるようになっている。
【００２９】
次に、本実施の形態における紙幣収納機構３２の構成の詳細について図２乃至図５を用いて説明する。図２は、紙幣収納機構３２の構成の詳細を示す側面図であり、図３は、図２に示す紙幣収納機構３２における一対の保持部材３６等の構成を示す斜視図であり、図４は、図２等に示す紙幣収納機構３２において各保持部材３６により保持される紙幣収納袋３４の構成を示す斜視図である。また、図５は、図２等に示す紙幣収納機構３２の各保持部材３６により紙幣収納袋３４を保持させたときの状態を示す斜視図である。
【００３０】
図２に示すように、紙幣収納機構３２には、上部ユニット１４の分岐搬送部２５から下部ユニット１６に送られた紙幣を一対の保持部材３６により保持される紙幣収納袋３４に送るための紙幣送り出し部４８と、紙幣送り出し部４８から送られた紙幣が一時的に保留される一時保留部４４と、一対の保持部材３６により保持される紙幣収納袋３４の底部が載置されるステージ４０とがそれぞれ設けられている。
【００３１】
図２に示すように、紙幣送り出し部４８は、ローラやベルトを組み合わせたものからなり、上部ユニット１４の分岐搬送部２５から下部ユニット１６に送られた紙幣を１枚ずつ一時保留部４４に送って当該一時保留部４４で一時的に保留させるようになっている。また、一時保留部４４は、左右一対の一時保留部材４４ｂを有しており、各一時保留部材４４ｂは、その基端部分に設けられた軸４４ａを中心として下方（すなわち、図２における矢印方向）に同時に回転することができるようになっている。このように、搬送部２４から分岐搬送部２５および紙幣送り出し部４８を介して一時保留部４４に送られた紙幣は、左右一対の一時保留部材４４ｂ上に集積されるようになっており、各一時保留部材４４ｂが各軸４４ａを中心として下方に同時に回転すると、左右一対の一時保留部材４４ｂ上に集積されている紙幣を落下させて紙幣収納袋３４に送ることができるようになっている。
【００３２】
また、図２に示すように、紙幣収納機構３２において、各保持部材３６により保持される紙幣収納袋３４の少なくとも一部が載置されるステージ４０が設けられている。ステージ４０は左右一対のものからなり、各ステージ４０は図２における上下方向および左右方向にそれぞれ移動可能となっている。より詳細には、図５に示すように、一対のステージ４０は、各ステージ４０の端部に設けられたヒンジ部４０ａにより互いに連結されており、各ステージ４０は水平面に沿ってヒンジ部４０ａを中心として図５における矢印方向に揺動することができるようになっている。また、各ステージ４０が開いた場合には、これらのステージ４０の間に隙間が形成されるようになる。そして、保持部材３６により保持される紙幣収納袋３４の一部を、この隙間を通って各ステージ４０から下方に延ばすことができるようになっている。なお、各ステージ４０は電動アクチュエータ等のステージ駆動部４１（図９参照）により駆動されるようになっている。具体的には、ステージ駆動部４１により各ステージ４０が図２における上下方向に移動させられるとともに、水平面に沿ってヒンジ部４０ａを中心として開閉させられるようになっている。なお、上述したように一対のステージ４０はヒンジ部４０ａにより互いに連結されており当該ヒンジ部４０ａを中心として開閉するようになっているが、図２および図６乃至図８では、便宜上、ヒンジ部４０ａを中心とした各ステージ４０の開閉動作を、各ステージ４０の左右方向の移動動作で示すようになっている。
【００３３】
また、各ステージ４０にはそれぞれ加熱部材４２が設けられている。そして、当該紙幣収納袋３４が紙幣収納機構３２から取り出される前に、一方のステージ４０（例えば、図２における右側のステージ４０）が他方のステージ４０（例えば、図２における左側のステージ４０）に向かって移動してこれらのステージ４０が互いに接した状態で、紙幣収納袋３４に紙幣を収納したときに底部となる箇所に各加熱部材４２から熱が与えられることにより当該箇所がヒートシールされるようになっている。なお、紙幣収納機構３２において、一対のステージ４０のうちある１つのステージ４０が他のステージ４０に向かって移動する代わりに、両方のステージ４０がそれぞれ他のステージ４０に向かって移動することによりこれらのステージ４０が互いに接するようになっていてもよい。また、一方のステージ４０の加熱部材４２のみで紙幣収納袋３４をヒートシールできる場合は、一方のステージ４０のみに加熱部材４２が設けられるようにしてもよい。
【００３４】
また、図３に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接するようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、この左側の保持部材３６は右側の保持部材３６に向かって移動させられるようになる。このことにより、左側の保持部材３６の面３６ｂが、右側の保持部材３６の面３６ｂに接するようになる。
【００３５】
また、図３に示すように、左右一対の保持部材３６の上面にはそれぞれ３つのピン３６ａが設けられている。ここで、図４に示すように、各保持部材３６により保持されるべき紙幣収納袋３４の開口近傍の箇所（すなわち、紙幣収納袋３４の上端部）には、それぞれ３つの開口３４ｂが設けられた一対の突出部３４ａが設けられており、紙幣収納袋３４が各保持部材３６により保持される際に、紙幣収納袋３４の各突出部３４ａに設けられた各開口３４ｂに各保持部材３６の各ピン３６ａが通されることにより、これらの突出部３４ａが各保持部材３６により保持されるようになっている。
【００３６】
また、図４等に示すように、紙幣収納袋３４の外面における開口近傍の箇所には帯状の補強部材３４ｃが設けられている。補強部材３４ｃは、紙幣収納袋３４よりコシが強い、ポリエチレンテレフタラートによって形成されている。このような補強部材３４ｃによって、紙幣収納袋３４の開口に皺が生じないように力が働くようになっている。ここで、「コシが強い」とは、曲げに対する剛性が大きいことを意味している。なお、補強部材３４ｃとして、紙幣収納袋３４よりコシが弱いものが用いられてもよい。この場合でも、紙幣収納袋３４は、他部材である補強部材３４ｃが設けられる（貼り付けられる）ことにより、全体的に開口付近のコシが強くなり、開口に皺が生じることが抑制されるようになる。
【００３７】
また、図２に示すように、一時保留部４４における各一時保留部材４４ｂの上方には押し込み板４６が設けられている。当該押し込み板４６にはパンタグラフ５０が設けられており、このパンタグラフ５０が図２における上下方向に伸縮することによって押し込み板４６は上下方向に移動することができるようになっている。このような押し込み板４６が図２に示す位置から下方に移動することによって、一時保留部４４に一時的に保留されている紙幣が紙幣収納袋３４に収納される際に、各一時保留部材４４ｂ上にある紙幣を集積状態のまま紙幣収納袋３４に向かって押し込むことができるようになる。本実施の形態では、このような押し込み板４６は、一対の保持部材３６により保持される紙幣収納袋３４の内部に進入して当該紙幣収納袋３４に収納されている紙幣を押し込む押込部として機能するようになる。
【００３８】
また、本実施の形態の紙幣処理機１０には、当該紙幣処理機１０の各構成部材の制御を行う制御部８０が設けられている。より詳細には、図９に示すように、制御部８０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、紙幣収納機構３２（具体的には、パンタグラフ３７、加熱部材３８、ステージ駆動部４１、加熱部材４２、紙幣送り出し部４８およびパンタグラフ５０）等がそれぞれ接続されている。そして、識別部２６による紙幣の識別結果に係る信号が制御部８０に送られるとともに、制御部８０は紙幣処理機１０の各構成部材に指令信号を送ることによりこれらの構成部材の動作を制御するようになっている。
【００３９】
また、図９に示すように、制御部８０には操作表示部８２、記憶部８４、印字部８６および通信インターフェース部８８がそれぞれ接続されている。図１に示すように、操作表示部８２は例えば筐体１２の上面に設けられたタッチパネル５２等からなり、紙幣処理機１０における紙幣の入金処理等の処理状況や、各紙幣収納袋３４に収納されている紙幣の在高等に関する情報が操作表示部８２に表示されるようになっている。また、操作者は操作表示部８２を操作することにより制御部８０に対して様々な指令を与えることができるようになっている。記憶部８４には、紙幣処理機１０における紙幣の入金処理等の処理履歴や、各紙幣収納袋３４に収納されている紙幣の在高等に関する情報が記憶されるようになっている。また、印字部８６は、紙幣処理機１０における紙幣の入金処理等の処理履歴や、各紙幣収納袋３４に収納されている紙幣の在高等に関する情報をレシート等に印字するようになっている。また、制御部８０は通信インターフェース部８８を介して本実施の形態による紙幣処理機１０とは別に設けられた外部装置（具体的には、例えば上位端末）に対して信号の送受信を行うことができるようになっている。具体的には、制御部８０は通信インターフェース部８８を介して記憶部８４に記憶されている情報を紙幣処理機１０とは別に設けられた外部装置に送信することができるようになっている。例えば、警送会社の警備員等が紙幣収納袋３４ごと紙幣を回収する際に、回収された紙幣に関する情報が通信インターフェース部８８により警送会社のコンピュータ等に送信されるようになっている。
【００４０】
また、図９に示すように、制御部８０には処理モード設定手段９０が接続されている。処理モード設定手段９０は、各紙幣収納機構３２においてそれぞれ一対の保持部材３６により保持されている紙幣収納袋３４に紙幣を収納させる際に、制御部８０が並行処理モード（後述）および保留処理モード（後述）のうち何れの処理モードで処理を行うかを設定するようになっている。このような処理モード設定手段９０の機能の詳細については後述する。
【００４１】
次に、このような構成からなる紙幣処理機１０の動作について説明する。なお、以下に示すような紙幣処理機１０の動作は、制御部８０が紙幣処理機１０の各構成部材を制御することにより行われるようになっている。
【００４２】
まず、紙幣処理機１０において紙幣の入金処理を行う際の動作について説明する。操作者が投入部２０に紙幣を投入した後、操作表示部８２により入金処理開始の指令を制御部８０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。一方、識別部２６により正常な紙幣であると識別された紙幣は収納繰出部３０に送られ、当該収納繰出部３０に一時的に収納されるようになる。また、収納繰出部３０に一時的に収納された紙幣の金種毎の枚数や総額が操作表示部８２に表示される。操作者がその表示内容を確認し、入金処理の承認操作を行うと、入金された紙幣の金種毎の枚数や総額が確定され、収納繰出部３０から紙幣が１枚ずつ搬送部２４に繰り出され、 搬送部２４から分岐搬送部２５に分岐させられ、当該分岐搬送部２５から紙幣収納袋３４に送られ、この紙幣収納袋３４に収納されるようになる。
【００４３】
また、識別部２６により識別された紙幣が送られるべき紙幣収納袋３４がフル状態またはニアフル状態となっており、紙幣収納袋３４に紙幣を収納させることができない場合には、収納繰出部３０を、フル状態またはニアフル状態が解消されるまでの紙幣の収納部として用いてもよい。具体的には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の紙幣収納機構３２から取り出され、空の紙幣収納袋３４が紙幣収納機構３２に装着されると、収納繰出部３０から紙幣が１枚ずつ搬送部２４に繰り出されて当該搬送部２４により紙幣収納袋３４に送られるようになる。ただし、一方の紙幣収納袋３４がフル状態またはニアフル状態となっているが、他方の紙幣収納袋３４がフル状態でもニアフル状態でもなく、識別部２６により識別された紙幣をいずれの紙幣収納袋３４に送っても良い場合は、紙幣は、他方の紙幣収納袋３４に送られる。
【００４４】
次に、各紙幣収納機構３２（具体的には、図１における左側の紙幣収納機構３２ａおよび右側の紙幣収納機構３２ｂ）において、上部ユニット１４の分岐搬送部２５から下部ユニット１６に送られた紙幣を一対の保持部材３６により保持されている紙幣収納袋３４に収納させる際の動作について説明する。
【００４５】
上部ユニット１４の分岐搬送部２５から下部ユニット１６に送られた紙幣は紙幣送り出し部４８により一時保留部４４における左右一対の一時保留部材４４ｂ上に送られ、これらの一時保留部材４４ｂ上に集積される。そして、一時保留部４４に紙幣が保留された後、各一時保留部材４４ｂはその基端部分に設けられた軸４４ａを中心としてそれぞれ下方（すなわち、図２における矢印方向）に同時に回転し、各一時保留部材４４ｂ上に集積されている紙幣は自重によりこれらの一時保留部材４４ｂから落下して紙幣収納袋３４に収納されるようになる。また、各一時保留部材４４ｂの動作と同期して、パンタグラフ５０が下方に伸び、パンタグラフ５０の下端部に取り付けられている押し込み板４６も下方に移動する。このことにより、一時保留部４４に一時的に保留されている紙幣が紙幣収納袋３４に収納される際に、各一時保留部材４４ｂ上に残留してしまった紙幣を押し込み板４６によって紙幣収納袋３４に向かって押し込むことができるようになる。
【００４６】
また、各一時保留部材４４ｂから紙幣が落下して紙幣収納袋３４に収納されると、各ステージ４０がステージ駆動部４１により下方に移動させられ、次に一時保留部４４から紙幣収納袋３４に送られる紙幣の収納空間が当該紙幣収納袋３４の内部に形成されるようになる。より詳細には、紙幣収納袋３４に収納されている紙幣が押し込み板４６により各ステージ４０に向かって押圧された状態で、各ステージ４０および押し込み板４６が一体的に図２における下方に移動する。その後、押し込み板４６が下端位置に到達し、押し込み板４６が下端位置に位置していることが図示しない検知センサにより検知されると、各ステージ４０が停止させられる。このように、各ステージ４０が下降する際に、押し込み板４６が下端位置に到達するまで当該押し込み板４６によって紙幣収納袋３４の内部で各ステージ４０に向かって紙幣を押し込むことにより、紙幣収納袋３４の内部に積層状態で集積されている紙幣が集積方向に圧縮されるため、紙幣収納袋３４の内部に積層状態で収納されている紙幣が崩れてしまうことを抑制することができる。そして、各ステージ４０が停止させられた後、押し込み板４６は紙幣収納袋３４から上方に退避する。
【００４７】
また、各ステージ４０が下方に移動することによって当該ステージ４０が図示しない下端位置検知センサにより検知されると、紙幣収納袋３４に収納されている紙幣がフル状態またはニアフル状態になったとみなされる。この場合には、押し込み板４６が紙幣収納袋３４から上方に退避した後、当該紙幣収納袋３４の開口が各加熱部材３８によってヒートシールされる。また、紙幣収納袋３４に紙幣を収納したときに底部となる箇所が各加熱部材４２によってヒートシールされる。その後、各保持部材３６が離間するよう各保持部材３６が移動する。また、各ステージ４０が離間するよう各ステージ４０が移動する。その後、紙幣収納袋３４を各保持部材３６から取り外すことにより、紙幣収納機構３２の各保持部材３６の上方側から紙幣収納袋３４を上方向に取り出すことができるようになる。
【００４８】
ここで、本実施の形態の紙幣処理機１０では、上述したように、各紙幣収納機構３２においてそれぞれ一対の保持部材３６により保持されている紙幣収納袋３４に紙幣を収納させる際に、制御部８０が並行処理モードおよび保留処理モードのうち何れの処理モードで処理を行うかを処理モード設定手段９０により設定することができるようになっている。ここで、並行処理モードとは、複数の紙幣収納機構３２のうち第１の紙幣収納機構３２（例えば、左側の紙幣収納機構３２ａ）において一時保留部４４（第１の一時保留部４４）に保留されていた紙幣を紙幣収納袋３４に送る収納動作と、第１の紙幣収納機構３２とは異なる第２の紙幣収納機構３２（例えば、右側の紙幣収納機構３２ｂ）において搬送部２４から一時保留部４４（第２の一時保留部４４）に紙幣を送る搬送動作とを並行して行うような処理モードのことをいう。具体的には、搬送動作は、搬送部２４から分岐搬送部２５および紙幣送り出し部４８を介して一時保留部４４に紙幣を送る動作であってもよい。また、保留処理モードとは、第１の紙幣収納機構３２（例えば、左側の紙幣収納機構３２ａ）において搬送部２４から一時保留部４４（第１の一時保留部４４）に送られた紙幣の数に基づいた所定の条件が満たされたときに、この一時保留部４４に紙幣を保留させたまま、第２の紙幣収納機構３２（例えば、右側の紙幣収納機構３２ｂ）において搬送部２４から一時保留部４４（第２の一時保留部４４）に紙幣を送る搬送動作を行うような処理モードのことをいう。所定の条件は、一時保留部４４に送られた紙幣の数が予め設定されている所定の数に達したこととしてもよい。また、一時保留部４４に保留された紙幣の量を測定するセンサを設け、所定の条件は、このセンサが紙幣を検知したこととしてもよい。また、保留処理モードの搬送動作も、搬送部２４から分岐搬送部２５および紙幣送り出し部４８を介して一時保留部４４に紙幣を送る動作であってもよい。このような保留処理モードでは、各紙幣収納袋３４に収納されるべき紙幣が全て各紙幣収納機構３２の一時保留部４４に保留されるか、２つの紙幣収納機構３２の各一時保留部４４がそれぞれフル状態となり各一時保留部４４に紙幣をこれ以上保留させることができなくなると、両方の紙幣収納機構３２において一時保留部４４に保留されていた紙幣を紙幣収納袋３４に送る収納動作が並行して行われるようになる。このような並行処理モードおよび保留処理モードについてそれぞれ図６および図７を用いて以下に詳述する。
【００４９】
まず、図６を参照して、各紙幣収納機構３２においてそれぞれ一対の保持部材３６により保持されている紙幣収納袋３４に紙幣を収納させる際に、制御部８０が並行処理モードで処理を行うことが処理モード設定手段９０により設定された場合について説明する。各紙幣収納袋３４に多数の紙幣を収納させる際に、並行処理モードで処理が行われる場合には、図６（ａ）に示すように、まず、搬送部２４から第１の紙幣収納機構３２（具体的には、左側の紙幣収納機構３２ａ）に紙幣が送られ、この紙幣収納機構３２ａの一時保留部４４（第１の一時保留部４４）に紙幣が一時的に保留される。そして、左側の紙幣収納機構３２ａの一時保留部４４に保留された紙幣の数に基づく所定の条件（具体的には、一時保留部４４がフル状態となる枚数の紙幣を保留すること、または、一時保留部４４内のフル検知センサにより紙幣が検知されること）が満たされたが、各紙幣収納袋３４に収納されるべき全ての紙幣がこの一時保留部４４に未だ保留されていない場合は、収納処理が開始される。各紙幣収納袋３４に収納されるべき全ての紙幣は、入金処理の承認操作により確定された紙幣であって、収納繰出部３０に一時的に収納されていた紙幣である。収納処理が開始されると、図６（ｂ）に示すように左側の紙幣収納機構３２ａの各一時保留部材４４ｂが各軸４４ａを中心として下方に回転する。また、左側の紙幣収納機構３２ａにおいて、各一時保留部材４４ｂの動作と同期して、パンタグラフ５０が下方に伸び、パンタグラフ５０の下端部に取り付けられている押し込み板４６も下方に移動する。このことにより、図６（ｃ）に示すように、左側の紙幣収納機構３２ａにおいて一時保留部材４４ｂ上に一時的に保留されている紙幣が紙幣収納袋３４に収納される。
【００５０】
また、左側の紙幣収納機構３２ａにおいて各一時保留部材４４ｂから紙幣が落下して紙幣収納袋３４に収納されると、図６（ｄ）に示すように、各ステージ４０がステージ駆動部４１により下方に移動させられ、次に一時保留部４４から紙幣収納袋３４に送られる紙幣の収納空間が当該紙幣収納袋３４の内部に形成されるようになる。その後、押し込み板４６が下端位置に到達し、押し込み板４６が下端位置に位置していることが図示しない検知センサにより検知されると、各ステージ４０が停止させられる。そして、図６（ｅ）に示すように、各ステージ４０が停止させられた後、押し込み板４６は紙幣収納袋３４から上方に退避する。
【００５１】
また、左側の紙幣収納機構３２ａの一時保留部４４に保留された紙幣の数に基づく所定の条件は満たされが、各紙幣収納袋３４に収納されるべき全ての紙幣がこの一時保留部４４に未だ保留されていない場合は、図６（ｃ）に示すように、搬送部２４から引き続き第２の紙幣収納機構３２（具体的には、右側の紙幣収納機構３２ｂ）に紙幣が送られ、この紙幣収納機構３２ｂの一時保留部４４（第２の一時保留部４４）に紙幣が一時的に保留される。このため、搬送部２４から各紙幣収納機構３２ａ、３２ｂへの紙幣の搬送動作が中断することはない。
【００５２】
そして、図６（ｅ）に示すように、左側の紙幣収納機構３２ａにおいて一時保留部４４から紙幣収納袋３４への紙幣の押し込み動作が完了し、押し込み板４６が紙幣収納袋３４から上方に退避して、一連の収納動作が完了した後も、引き続き搬送部２４から右側の紙幣収納機構３２ｂに紙幣が送られ、この紙幣収納機構３２ｂの一時保留部４４に紙幣が一時的に保留される。そして、各紙幣収納袋３４に収納されるべき紙幣が全て各紙幣収納機構３２の一時保留部４４に保留されると、右側の紙幣収納機構３２ｂの一時保留部４４に保留された紙幣の収納動作が開始される。具体的には、図６（ｆ）に示すように右側の紙幣収納機構３２ｂの各一時保留部材４４ｂが各軸４４ａを中心として下方に回転する。また、各一時保留部材４４ｂの動作と同期して、パンタグラフ５０が下方に伸び、パンタグラフ５０の下端部に取り付けられている押し込み板４６も下方に移動する。このことにより、右側の紙幣収納機構３２ｂにおいて一時保留部材４４ｂ上に一時的に保留されている紙幣が紙幣収納袋３４に収納される。また、右側の紙幣収納機構３２ｂの一時保留部４４に保留された紙幣の数に基づく所定の条件が満たされたが、各紙幣収納袋３４に収納されるべき全ての紙幣が各紙幣収納機構３２の一時保留部４４に未だ保留されていない場合は、搬送部２４から引き続き左側の紙幣収納機構３２ａに紙幣が送られ、この紙幣収納機構３２ａの一時保留部４４に紙幣が一時的に保留される。
【００５３】
このようにして、並行処理モードでは搬送部２４から各紙幣収納機構３２ａ、３２ｂに紙幣が交互に送られるようになる。また、ある紙幣収納機構３２（例えば、左側の紙幣収納機構３２ａ）において一時保留部４４に保留されていた紙幣を紙幣収納袋３４に送る収納動作と、別の紙幣収納機構３２（例えば、右側の紙幣収納機構３２ｂ）において搬送部２４から分岐搬送部２５および紙幣送り出し部４８を介して一時保留部４４に紙幣を送る搬送動作とが並行して行われるようになる。このような並行処理モードによれば、各紙幣収納機構３２ａ、３２ｂにおいて一時保留部４４がフル状態となっても、搬送部２４から各紙幣収納機構３２ａ、３２ｂへの紙幣の搬送動作が中断しないため、各紙幣収納袋３４に紙幣を収納させるのにかかる時間を短縮することができる。
【００５４】
なお、このような並行処理モードが行われる場合に、各々の紙幣収納袋３４に複数の金種の紙幣が混合状態で収納されるよう搬送部２４から各紙幣収納機構３２の一時保留部４４に紙幣が送られるようになっている。なお、別の例として、各々の紙幣収納袋３４にある特定の金種（例えば、千円札）の紙幣のみが収納されるよう搬送部２４から各紙幣収納機構３２の一時保留部４４に紙幣が送られるようになっていてもよい。この場合には、特定の金種以外の紙幣は搬送部２４から投出部２２や収納繰出部３０に送られるようになる。また、３つ以上の紙幣収納機構３２が設けられている場合は、３つ以上の紙幣収納機構３２のうちの２つ以上の紙幣収納機構３２を用いて並行処理モードを実行することができる。
【００５５】
次に、図７を参照して、各紙幣収納機構３２においてそれぞれ一対の保持部材３６により保持されている紙幣収納袋３４に紙幣を収納させる際に、制御部８０が保留処理モードで処理を行うことが処理モード設定手段９０により設定された場合について説明する。各紙幣収納袋３４に多数の紙幣を収納させる際に、保留処理モードが行われる場合には、図７（ａ）に示すように、まず、搬送部２４から第１の紙幣収納機構３２（具体的には、左側の紙幣収納機構３２ａ）に紙幣が送られ、この紙幣収納機構３２ａの一時保留部４４（第１の一時保留部４４）に紙幣が一時的に保留される。そして、左側の紙幣収納機構３２ａの一時保留部４４に保留された紙幣の数に基づく所定の条件は満たされたが、各紙幣収納袋３４に収納されるべき全ての紙幣がこの一時保留部４４に未だ保留されていない場合は、図７（ｂ）に示すように、搬送部２４から引き続き第１の紙幣収納機構３２（具体的には、右側の紙幣収納機構３２ｂ）に紙幣が送られ、この紙幣収納機構３２ｂの一時保留部４４（第２の一時保留部４４）に紙幣が一時的に保留される。なお、搬送部２４から右側の紙幣収納機構３２ｂに紙幣が送られる間、左側の紙幣収納機構３２ａにおいて収納動作は行われない。具体的には、各一時保留部材４４ｂは各軸４４ａを中心として下方に回転せず、各一時保留部材４４ｂ上に紙幣が集積されたままの状態となる。
【００５６】
そして、各紙幣収納袋３４に収納されるべき紙幣が全て２つの紙幣収納機構３２ａ、３２ｂの各一時保留部４４に保留されるか、右側の紙幣収納機構３２ｂの一時保留部４４に保留された紙幣の数に基づく所定の条件が満たされたら、図７（ｃ）に示すように、２つの紙幣収納機構３２ａ、３２ｂの各々において収納処理が同時に開始される。具体的には、各一時保留部材４４ｂが各軸４４ａを中心として下方に回転する。また、各一時保留部材４４ｂの動作と同期して、パンタグラフ５０が下方に伸び、パンタグラフ５０の下端部に取り付けられている押し込み板４６も下方に移動する。このことにより、図７（ｄ）に示すように、２つの紙幣収納機構３２ａ、３２ｂの各々において、一時保留部材４４ｂ上に一時的に保留されている紙幣が紙幣収納袋３４に収納される。
【００５７】
また、２つの紙幣収納機構３２ａ、３２ｂのそれぞれにおいて各一時保留部材４４ｂから紙幣が落下して紙幣収納袋３４に収納されると、図７（ｅ）に示すように、各ステージ４０がステージ駆動部４１により下方に移動させられ、次に一時保留部４４から紙幣収納袋３４に送られる紙幣の収納空間が当該紙幣収納袋３４の内部に形成されるようになる。その後、押し込み板４６が下端位置に到達し、押し込み板４６が下端位置に位置していることが図示しない検知センサにより検知されると、各ステージ４０が停止させられる。そして、図７（ｆ）に示すように、２つの紙幣収納機構３２ａ、３２ｂのそれぞれにおいて、各ステージ４０が停止させられた後、押し込み板４６は紙幣収納袋３４から上方に退避する。その後、もし紙幣収納袋３４に収納されるべき紙幣がまだ存在する場合には、搬送部２４から左側の紙幣収納機構３２ａに再び紙幣が送られ、この紙幣収納機構３２ａの一時保留部４４に紙幣が一時的に保留される。
【００５８】
このようにして、保留処理モードでは、第１の紙幣収納機構３２（例えば、左側の紙幣収納機構３２ａ）において搬送部２４から一時保留部４４（第１の一時保留部４４）に送られた紙幣の数が予め設定されている所定の数に達したときに、この一時保留部４４に紙幣を保留させたまま、第２の紙幣収納機構３２（例えば、右側の紙幣収納機構３２ｂ）において搬送部２４から一時保留部４４（第２の一時保留部４４）に紙幣を送る搬送動作を行う。また、各紙幣収納袋３４に収納されるべき紙幣が全て各紙幣収納機構３２の一時保留部４４に保留されるか、各紙幣収納機構３２の一時保留部４４がフル状態となり一時保留部４４に紙幣をこれ以上保留させることができなくなると、両方の紙幣収納機構３２において一時保留部４４に保留されていた紙幣を紙幣収納袋３４に送る収納動作が行われる。例えば、入金処理において、各紙幣収納袋３４に収納されるべき紙幣が全て各紙幣収納機構３２の一時保留部４４に保留された場合には、一時保留部４４に紙幣を保留する過程でエラーが発生し、入金された紙幣を外部に取り出す必要が生じた場合に、他の紙幣と混同することなく入金された紙幣だけを外部に取り出すことができる。なお、３つ以上の紙幣収納機構３２が設けられている場合は、３つ以上の紙幣収納機構３２のうちの２つ以上の紙幣収納機構３２を用いて保留処理モードを実行することができる。
【００５９】
なお、本実施の形態の紙幣処理機１０では、通常時（デフォルト時）は制御部８０が保留処理モードで処理を行うことが処理モード設定手段９０により設定されている。また、操作者が操作表示部８２に表示される設定画面等において並行処理モードで処理を行うことを選択した場合には、制御部８０が並行処理モードで処理を行うことが処理モード設定手段９０により設定される。なお、別の例として、各紙幣収納袋３４に紙幣が収納される際に、各紙幣収納袋３４に収納されるべき紙幣の枚数に係る情報が操作表示部８２等により制御部８０に入力される場合に、この入力された紙幣の枚数が、２つの紙幣収納機構３２ａ、３２ｂの各々における一時保留部４４に保留することができる紙幣の最大枚数の合計よりも多いときには、制御部８０が並行処理モードで処理を行うことが処理モード設定手段９０により設定されるようになっていてもよい。より詳細に説明すると、各紙幣収納袋３４に収納されるべき紙幣の枚数が、２つの紙幣収納機構３２ａ、３２ｂの各々における一時保留部４４に保留することができる紙幣の最大枚数の合計よりも少ない場合には、並行処理モードおよび保留処理モードの何れの処理モードで処理を行っても搬送部２４から各紙幣収納機構３２ａ、３２ｂへの紙幣の搬送動作が中断しないため、各紙幣収納袋３４に紙幣を収納させるのにかかる時間は大きく変わらない。このため、保留処理モードで処理を行うことにより、エラー時に、収納途中の紙幣を外部に取り出すことができるようにすることが好ましい。一方、各紙幣収納袋３４に収納されるべき紙幣の枚数が、２つの紙幣収納機構３２ａ、３２ｂの各々における一時保留部４４に保留することができる紙幣の最大枚数の合計よりも多い場合には、並行処理モードでは搬送部２４から各紙幣収納機構３２ａ、３２ｂへの紙幣の搬送動作が中断しないが、保留処理モードでは搬送部２４から各紙幣収納機構３２ａ、３２ｂへの紙幣の搬送動作を中断させる必要がある。このため、並行処理モードで処理を行うことにより、各紙幣収納袋３４に紙幣を収納させるのにかかる時間を短縮させることが好ましい。
【００６０】
以上のような構成からなる本実施の形態の紙幣処理機１０やこのような紙幣処理機１０による紙幣処理方法によれば、並行処理モードにおいて、搬送部２４から第１の一時保留部４４（例えば、左側の紙幣収納機構３２ａの一時保留部４４）に送られた紙幣の数に基づいた所定の条件が満たされたときに、第１の一時保留部４４に保留されていた紙幣を紙幣収納袋３４（収納部材）に送る収納動作と、搬送部２４から第２の一時保留部４４（例えば、右側の紙幣収納機構３２ｂの一時保留部４４）に紙幣を送る搬送動作とが並行して行われる。このことにより、紙幣収納袋３４に紙幣を収納させるのにかかる時間を短縮することができる。
【００６１】
より詳細に説明すると、従来の紙幣処理機では、一回の収納処理において紙幣収納袋に収納されるべき紙幣の枚数が多い場合には、搬送部から一時保留部に紙幣を送る動作が行われている途中で、一時保留部がフル状態またはニアフル状態になったときに、搬送部から一時保留部に紙幣を送る動作が中断され、一時保留部に一時的に保留されていた紙幣が紙幣収納袋にまとめて送られ、この紙幣収納袋に紙幣が収納されるようになっていた。このことにより、一時保留部が空状態となり、その後、搬送部から一時保留部に紙幣を送る動作が再開されていた。しかしながら、このような従来の紙幣処理機における紙幣の処理方法では、一時保留部に保留されている紙幣を紙幣収納袋に収納させる間、搬送部から一時保留部に紙幣を送ることができなくなるため、紙幣収納袋に紙幣を収納させるのにかかる時間が長くなってしまうという問題があった。これに対し、本実施の形態の紙幣処理機１０および紙幣処理方法では、ある一時保留部４４に保留される紙幣の数が予め設定されている所定の数に達したときに、この一時保留部４４に保留されていた紙幣を紙幣収納袋３４に送る収納動作が行われる間、搬送部２４から他の一時保留部４４に紙幣を送る搬送動作が行われるため、搬送部２４から各一時保留部４４に紙幣を送る動作が中断しない。このため、紙幣収納袋３４に紙幣を収納させるのにかかる時間を短縮することができる。
【００６２】
また、本実施の形態の紙幣処理機１０においては、上述したように、制御部８０は、複数の紙幣収納袋３４にそれぞれ複数の金種の紙幣が混合状態で収納されるように搬送部２４から各一時保留部４４に紙幣が送られるよう搬送部２４を制御するようになっている。また、紙幣収納袋３４が着脱自在に装着される装着部として、紙幣収納袋３４における開口近傍の箇所を保持する一対の保持部材３６が用いられるようになっている。また、押し込み板４６（押込部）が紙幣収納袋３４の内部に進入して当該紙幣収納袋３４に収納されている紙幣を押し込む方向（具体的には、略鉛直方向）に移動可能となっており、各保持部材３６により保持される紙幣収納袋３４の少なくとも一部が載置される載置部として一対のステージ４０が用いられるようになっており、上記の収納動作は、各ステージ４０を上記の方向（すなわち、略鉛直方向）に移動させる動作を含むようになっている（図６（ｃ）の矢印参照）。また、各保持部材３６により保持される紙幣収納袋３４の内部に進入して当該紙幣収納袋３４に収納されている紙幣を押し込む押込部として押し込み板４６が用いられるようになっており、上記の収納動作は、押し込み板４６が紙幣収納袋３４の内部に進入して当該紙幣収納袋３４に収納されている紙幣を押し込む動作を含むようになっている（図６（ｃ）および図６（ｄ）参照）。また、上記の収納動作は、押し込み板４６を押し込む動作を完了した後、紙幣収納袋３４の外部の所定位置に戻る動作を含んでもよい（図６（ｅ）参照）。また、各一時保留部４４は、対応する各保持部材３６に保持されている紙幣収納袋３４の上方に配置されている。また、各々の一時保留部４４は、軸４４ａを中心として回転可能となっている各一時保留部材４４ｂを有しており、搬送部２４から一時保留部４４に送られた紙幣は各一時保留部材４４ｂ上に集積されるようになっている。そして、上記の収納動作は、各一時保留部材４４ｂが各軸４４ａを中心として下方に回転することにより各一時保留部材４４ｂ上に集積されている紙幣を落下させて各保持部材３６に保持されている紙幣収納袋３４に送る動作を含むようになっている（図６（ｂ）および図６（ｃ）参照）。
【００６３】
また、本実施の形態の紙幣処理機１０においては、上述したように、制御部８０は、搬送部２４から第１の一時保留部４４に送られた紙幣の数に基づく所定の条件が満たされ、紙幣収納袋３４に収納すべき全ての紙幣が、第１の一時保留部４４に未だ保留されていないときに、第１の一時保留部４４に保留されていた紙幣を紙幣収納袋３４に送る収納動作と、搬送部２４から、第１の一時保留部４４とは異なる第２の一時保留部４４に紙幣を送る搬送動作とを並行して行うような並行処理を行うよう搬送部２４および一時保留部４４を制御するようになっている。また、制御部８０は、搬送部２４から第１の一時保留部４４に送られた紙幣の数が予め設定されている所定の数に達したときに、第１の一時保留部４４に紙幣を保留させたまま搬送部２４から第２の一時保留部４４に紙幣を送る搬送動作を行うような保留処理（具体的には、上述した保留処理モード）も行うことができるようになっており、制御部８０が並行処理および保留処理のうち何れの処理を行うかを設定する設定手段として処理モード設定手段９０が設けられている。
【００６４】
なお、本実施の形態による紙幣処理機１０や紙幣処理方法は、上述したような態様に限定されることはなく、様々な変更を加えることができる。
【００６５】
例えば、上記の説明では、各々の一時保留部４４において、左右一対の一時保留部材４４ｂが各軸４４ａを中心として下方に同時に回転することによって、左右一対の一時保留部材４４ｂ上に集積されている紙幣を落下させて紙幣収納袋３４に送るような態様について述べたが、本実施の形態による紙幣処理機１０はこのような態様に限定されることはない。本実施の形態による紙幣処理機１０の他の態様として、各々の一時保留部４４において、左右一対の一時保留部材４４ｂが異なるタイミングで下方に回転するようになっていてもよい。このような態様について図８（ａ）〜（ｆ）を用いて以下に説明する。
【００６６】
紙幣収納機構３２において一対の保持部材３６により保持されている紙幣収納袋３４に紙幣を収納させる際に、図８（ａ）に示すように、搬送部２４から紙幣収納機構３２に送られた紙幣は一時保留部４４に一時的に保留される。そして、紙幣収納袋３４に収納されるべき紙幣が全て一時保留部４４に保留されるか、一時保留部４４に保留された紙幣が予め設定されている所定の数（具体的には、一時保留部４４がフル状態となる枚数）に達したら、図８（ｂ）に示すように、一時保留部４４の各一時保留部材４４ｂが各軸４４ａを中心として下方に回転するが、この際に、まず左側の一時保留部材４４ｂが下方に回転し始め、所定の時間が経過した後に右側の一時保留部材４４ｂが下方に回転し始める。この場合には、右側の一時保留部材４４ｂが下方に回転するタイミングが遅くなるため、図８（ｃ）に示すように、紙幣収納袋３４の内部における比較的右側の領域に紙幣が集積されるようになる。そして、一時保留部４４から紙幣収納袋３４への紙幣の収納動作が完了すると、図８（ｄ）に示すように、搬送部２４から紙幣が再び紙幣収納機構３２に送られ、この紙幣は一時保留部４４に一時的に保留される。そして、紙幣収納袋３４に収納されるべき紙幣が全て一時保留部４４に保留されるか、一時保留部４４に保留された紙幣が予め設定されている所定の数（具体的には、一時保留部４４がフル状態となる枚数）に達したら、図８（ｅ）に示すように、まず右側の一時保留部材４４ｂが下方に回転し始め、所定の時間が経過した後に左側の一時保留部材４４ｂが下方に回転し始める。この場合には、左側の一時保留部材４４ｂが下方に回転するタイミングが遅くなるため、図８（ｆ）に示すように、紙幣収納袋３４の内部における比較的左側の領域に紙幣が集積されるようになる。
【００６７】
このように、左右一対の一時保留部材４４ｂが下方に回転する際に、各一時保留部材４４ｂが下方に回転するタイミングを左右で交互に変えることにより、紙幣収納袋３４の内部において紙幣が集積される位置が左右で交互に変わるようになる。この場合には、紙幣収納袋３４の内部において紙幣を同じ位置に集積させる場合と比較して、同じ枚数の紙幣を紙幣収納袋３４に収納したときの高さが小さくなるため、より多くの数の紙幣を紙幣収納袋３４に収納させることができるようになる。
【００６８】
また、別の変形例に係る紙幣処理機では、上部および下部にそれぞれ開口が設けられた筒形状の紙幣収納袋が支持部により支持されるとともに、当該支持部に支持される紙幣収納袋に紙幣が収納されるようになっていてもよい。この場合でも、本発明の原理を上述した変形例に係る紙幣処理機に適用することができるようになる。
【００６９】
また、本実施の形態における他の態様では、収納袋の開口を加熱部材によりヒートシールする代わりに、収納袋の開口を接着剤により接着させて封止するようにしてもよい。具体的には、紙幣が収納される紙幣収納袋として、その内面における開口に接着剤が設けられたものが用いられてもよい。この場合には、紙幣収納袋の開口を接着剤により接着することによって紙幣収納袋の開口を封止することができるようになる。この場合でも、本発明の原理を上述した変形例に係る紙幣処理機に適用することができるようになる。
【００７０】
また、本実施の形態における更に他の態様では、紙幣収納袋の開口をヒートシールする加熱部材が、当該紙幣収納袋の開口近傍の箇所を保持する各保持部材とは別の部材とされていてもよい。また、紙幣収納袋に紙幣を収納したときに底部となる箇所をヒートシールする加熱部材が各ステージとは別の部材とされていてもよい。また、紙幣収納袋に紙幣を収納したときに底部となる箇所を封止しなくてもよい。この場合には、各ステージ等に加熱部材が設けられないようになる。
【００７１】
また、本発明に係る紙幣処理機では、紙幣を収納する収納部材として紙幣収納袋が用いられる代わりに紙幣収納カセットが用いられるようになっていてもよい。この場合には、上述した各保持部材の代わりに、紙幣収納カセットが収容される収容空間が各紙幣収納機構に設けられるようになる。すなわち、紙幣を収納する紙幣収納カセットが着脱自在に装着される装着部に、当該紙幣収納カセットが収容される収容空間が設けられるようになる。この場合でも、本発明の原理を上述した更に別の変形例に係る紙幣処理機に適用することができるようになる。
【００７２】
また、操作表示部８２を処理モード設定手段９０として用いてもよいし、紙幣処理機１０と通信する別の装置を処理モード設定手段９０として用いてもよい。
【００７３】
また、本実施の形態における更に他の態様では、一対の保持部材３６を、上下方向に離間して設け、紙幣収納袋３４の開口部が横方向を向くようにして紙幣収納袋３４を保持するようにしてもよい。このとき、一時保留部４４は、一対の保持部材３６の横に設けられ、紙幣を立てた状態で保留する。また、押し込み板４６は、一時保留部材４４ｂの横に設けられ、横方向に移動する。押し込み板４６が横方向に移動することによって、一時保留部４４に保留されている紙幣を集積状態のまま紙幣収納袋３４に向かって押し込む。また、ステージ４０は上下に並べた一対のものからなる。各ステージ４０がステージ駆動部４１により横方向に移動させられ、次に一時保留部４４から紙幣収納袋３４に送られる紙幣の収納空間が当該紙幣収納袋３４の内部に形成される。
【００７４】
また、上述した本実施の形態では、収納繰出部３０に一時的に収納された紙幣について入金処理の承認操作を行い、入金された紙幣の金種毎の枚数や総額が確定されるようになっていたが、収納繰出部３０を使用しない態様としてもよい。具体的には、識別部２６により正常な紙幣であると識別された入金紙幣は、収納繰出部３０に送られることなく、直接、紙幣収納袋３４の一時保留部４４に送られる。
【００７５】
この場合、並行処理が行われる際には、制御部８０は、搬送部２４から第１の一時保留部４４に送られた紙幣の数に基づく所定の条件が満たされ、紙幣収納袋３４に収納すべき全ての紙幣が、第１の一時保留部４４に未だ保留されていないときに、この一時保留部４４に保留されていた紙幣を紙幣収納袋３４に送る収納動作と、搬送部２４から、第１の一時保留部４４とは異なる第２の一時保留部４４に紙幣を送る搬送動作とを並行して行う。ここで、入金された紙幣が投入部２０に残っておらず、装置に取り込まれた全ての紙幣が第１の一時保留部４４に保留されている場合は、紙幣収納袋３４に収納すべき全ての紙幣が、第１の一時保留部４４に保留されたと判断する。紙幣が投入部２０に残っているか、または、装置内に取り込まれたが第１の一時保留部４４に保留されていない紙幣がある場合は、紙幣収納袋３４に収納すべき全ての紙幣が、第１の一時保留部４４に未だ保留されていないと判断する。次に、制御部８０は、紙幣収納袋３４に収納すべき全ての紙幣が、第２の一時保留部４４に保留されたと判断したときに、入金確定の指令を操作者に求める旨のメッセージを操作表示部８２に表示する。その後、操作者が、操作表示部８２により入金確定の指令を制御部８０に入力すると、第２の一時保留部４４に保留されていた紙幣を紙幣収納袋３４に送る収納動作を行い、入金処理を完了する。
【００７６】
また、保留処理が行われる場合、制御部８０は、搬送部２４から第１の一時保留部４４に送られた紙幣の数に基づく所定の条件が満たされ、紙幣収納袋３４に収納すべき全ての紙幣が、第１の一時保留部４４に未だ保留されていないときに、この一時保留部４４に紙幣を保留したまま、搬送部２４から、第１の一時保留部４４とは異なる第２の一時保留部４４に紙幣を送る搬送動作を行う。次に、制御部８０は、紙幣収納袋３４に収納すべき全ての紙幣が、第２の一時保留部４４に保留されたと判断したときに、入金確定の指令を操作者に求める旨のメッセージを操作表示部８２に表示する。その後、操作者が、操作表示部８２により入金確定の指令を制御部８０に入力すると、第１の一時保留部４４と第２の一時保留部４４に保留されていた紙幣を紙幣収納袋３４に送る収納動作を行い、入金処理を完了する。操作者が入金のキャンセル指令を操作表示部８２により制御部８０に入力した場合は、収納動作は行われず、第１の一時保留部４４と第２の一時保留部４４に保留されていた紙幣を外部に取り出すことができる。このとき、入金された紙幣は、第１の一時保留部４４と第２の一時保留部４４に保留されたままなので、他の処理の紙幣と混同することなく外部に取り出されて返却されることができる。
【００７７】
また、本発明に係る紙葉類処理装置や紙葉類処理方法として、収納袋の内部に紙幣以外の紙葉類（例えば、小切手や商品券等）を収納させるものが用いられてもよい。
【符号の説明】
【００７８】
１０    紙幣処理機
１２    筐体
１４    上部ユニット
１６    下部ユニット
２０    投入部
２０ａ  紙幣繰出機構
２２    投出部
２２ａ  羽根車
２２ｂ  羽根車駆動部
２４    搬送部
２５    分岐搬送部
２６    識別部
３０    収納繰出部
３０ａ  ドラム
３１    テープ
３２、３２ａ、３２ｂ  紙幣収納機構
３４    紙幣収納袋
３４ａ  突出部
３４ｂ  開口
３４ｃ  補強部材
３６    保持部材
３６ａ  ピン
３６ｂ  面
３６ｋ  枠体
３６ｐ  ガイドピン
３６ｑ  長穴
３７    パンタグラフ
３８    加熱部材
４０    ステージ
４０ａ  ヒンジ部
４１    ステージ駆動部
４２    加熱部材
４４    一時保留部
４４ａ  軸
４４ｂ  一時保留部材
４６    押し込み板
４８    紙幣送り出し部
５０    パンタグラフ
５２    タッチパネル
８０    制御部
８２    操作表示部
８４    記憶部
８６    印字部
８８    通信インターフェース部
９０    処理モード設定手段
【図１】
2019096194.tif 000003
【図２】
2019096194.tif 000004
【図３】
2019096194.tif 000005
【図４】
2019096194.tif 000006
【図５】
2019096194.tif 000007
【図６】
2019096194.tif 000008
【図７】
2019096194.tif 000009
【図８】
2019096194.tif 000010
【図９】
2019096194.tif 000011